(57)【特許請求の範囲】
【請求項１】
複数系統のパラメータを入力設定する操作子を有する電子機器の操作装置であって、
操作することによってパラメータ値を順番に変更可能なスイッチ構造をなした少なくとも一つ以上ある第一操作子と、
前記第一操作子とは別の第二操作子と、
前記第一操作子に割り当てる項目を変更指示する第三操作子と、を備え、
前記第二操作子を操作した上で、前記第三操作子が操作された場合に、該第三操作子によって割り当てられる前記第一操作子の項目のパラメータ値を所定の初期値に変更するようにしたことを特徴とする電子機器の操作装置。
【請求項２】
前記第一操作子は複数あって、前記第三操作子で複数の第一操作子の項目を同時に指示変更できるようにしたことを特徴とする請求項１記載の電子機器の操作装置。
【発明の詳細な説明】
【０００１】
【発明の属する技術分野】
本発明は、電子機器にパラメータを入力設定するための電子機器の操作装置に関する。
【０００２】
【従来の技術】
従来、入力設定されたパラメータに応じて動作・機能する各種の電子機器がある。例えば、楽音等をサンプリングするとともに、再生する楽音に各種の効果を付与する機能を備えたサンプリング装置があるが、例えば効果を付与するフィルタの特性を決めるレゾナンスやカットオフ周波数などのパラメータが操作子の操作で入力設定される。
【０００３】
【発明が解決しようとする課題】
このようなパラメータの入力設定を、多種類の項目について行う場合は多大な時間を要するので、入力設定を支援できる装置が必要である。例えば、パラメータをいろいろと変更して試行錯誤したあと、標準的なパラメータ値が判らなくなることがある。このような場合、従来はリセットスイッチの操作によりパラメータ値を初期値に設定するものもあるが、全パラメータ値が初期値に戻ってしまい、それまで、好適に設定されていたパラメータ値も初期値に戻ってしまうという問題がある。
【０００４】
本発明は、特定の項目（パラメータの種類）あるいは複数の関連する項目を、簡単な操作で選択的に所定の初期値に設定できるようにすることを課題とする。
【００１７】
【課題を解決するための手段】
本発明の請求項１の電子機器の操作装置は、複数系統のパラメータを入力設定する操作子を有する電子機器の操作装置であって、操作することによってパラメータ値を順番に変更可能なスイッチ構造をなした少なくとも一つ以上ある第一操作子と、前記第一操作子とは別の第二操作子と、前記第一操作子に割り当てる項目を変更指示する第三操作子と、を備え、前記第二操作子を操作した上で、前記第三操作子が操作された場合に、該第三操作子によって割り当てられる前記第一操作子の項目のパラメータ値を所定の初期値に変更するようにしたことを特徴とする電子機器の操作装置。
【００１８】
請求項１の電子機器の操作装置によれば、第一操作子を操作することによってパラメータの設定値を順番に変更して入力設定することができる。また、第三操作子の操作により第一操作子に対する項目（パラメータの種類）を容易に変更することができる。そして、第二操作子を操作した上で、第三操作子を操作すると該第三操作子によって割り当てられていた第一操作子の項目のパラメータ値を所定の初期値に変更することができる。したがって、簡単な操作で、特定の項目のパラメータ値を選択的に所定の初期値に設定できる。
【００１９】
本発明の請求項２の電子機器の操作装置は、請求項１の構成を備え、前記第一操作子は複数あって、前記第三操作子で複数の第一操作子の項目を同時に指示変更できるようにしたことを特徴とする。
【００２０】
請求項２の電子機器の操作装置によれば、請求項１と同様な作用効果が得られるとともに、第三操作子の操作により複数の第一操作子に対する項目（パラメータの種類）を同時にしかも簡単に変更することができる。この複数の第一操作子に対する項目は、互いに関連のある項目とするとよい。
【００２１】
請求項１及び請求項２では、現在第一操作子に選択設定されている項目以外の項目を第三操作子により変更指示するような場合において、この第三操作子と第二操作子が組み合わせて操作されたときの態様として、後述実施形態で具体例を説明するように次のような場合を含む。
【００２２】
第１の態様は、第一操作子に該第三操作子で指示された項目のパラメータを割り当てるとともにそのパラメータ値（第一操作子のパラメータ値）を所定の初期値に変更する。このとき、表示手段にそのパラメータ値（初期値）を表示させてもよい。
第２の態様は、現在第一操作子に選択設定されている項目は変更せずに、第三操作子の項目のパラメータ値を所定の初期値に変更する。
第３の態様は、現在第一操作子に選択設定されている項目と第三操作子で指示された項目とが異なっているということから、操作が駄目であること（ＮＧ）の出力（表示等）を行い、この場合においては所定の初期値への変更を行わない。
【００２３】
また、第一操作子に選択設定されている項目を有する第三操作子と、第二操作子の組み合わせ操作がなされたときは、複数ある全ての第一操作子の項目のパラメータ値を所定の初期値に変更する。このとき、表示手段にそのパラメータ値（初期値）を表示させてもよい。
【００２４】
なお、第三操作子は、複数のスイッチからなるもの（後述の実施形態のＣ１スイッチとＣ２スイッチに対応）であってもよいし、一つのスイッチ（後述の実施形態のＣ３スイッチに対応）であってもよい。
【００２５】
また、第一操作子は複数のスイッチ（後述の実施形態のＡ１スイッチとＡ２スイッチに対応）からなるものであって、さらに第三操作子がその複数の第一操作子に対して同時にパラメータの項目を割り当てるものであり、この第三操作子と第二操作子が組み合わせて操作されたとき、複数の第一操作子の全ての項目のパラメータ値を所定の初期値に変更する。このとき、表示手段にそのパラメータ値（初期値）を表示させてもよい。
【００２６】
【発明の実施の形態】
以下、図面を参照して本発明の実施形態について説明する。図２は実施形態の操作装置を用いた電子機器のブロック図であり、この実施形態の電子機器はビデオサンプリング装置である。信号処理システム１１はＣＰＵ１１ａ、ＲＡＭ１１ｂ、ＲＯＭ１１ｃ、タイマ１１ｄで構成されており、ＣＰＵ１１ａはＲＯＭ１１ｃに格納された所定のプログラムを実行し、ＲＡＭ１１ｂの各種レジスタ、フラグ等を含むワーキングエリアを使用して全体の制御を行う。タイマ１１ｄは各種プログラムの実行中に時間を計時するものである。入力インターフェース（Ｉ／Ｆ）１２は接続した映像機器１０から映像データを取り込み、出力インターフェース１３は接続した画像表示装置２０へ画像データを出力して表示する。
【００２７】
設定操作子群１４は該ビデオサンプリング装置に対する種々の設定を行うための操作子群であり、この設定操作子群１４の具体例については後述説明する。表示器１５は液晶パネル等で構成されており、該ビデオサンプリング装置の設定状態や、項目（パラメータの種類）や、パラメータ値の表示等を行う。記憶装置１６は、映像データ、映像データの処理手順、機器の設定状態、設定された各種パラメータの設定値、あるいは各種のプログラムを記憶する。
【００２８】
図１は該ビデオサンプリング装置のパネル面の一部を示す図である。図示のように、パネル面には、前記設定操作子群１４の一部を構成するＡ１スイッチ１、Ａ２スイッチ２、Ｂスイッチ３、Ｃ１スイッチ４、Ｃ２スイッチ５、Ｃ３スイッチ６、ｙｅｓスイッチ７、ｎｏスイッチ８、及び前記表示器１５が配設されている。なお、各スイッチに付した「Ａ１、Ａ２、Ｂ、Ｃ１、Ｃ２、Ｃ３」の記号は各スイッチを区別するためのものであり、スイッチに実際に記されているものではない。
【００２９】
Ａ１スイッチ１とＡ２スイッチ２は、それぞれが図示しないロータリーエンコーダに連結された回転式のダイヤルスイッチであり、図の矢印のように回転することにより、このＡ１スイッチ１及びＡ２スイッチ２の各々に割り当てられた項目のパラメータ値が変化する。例えば右に回転すればパラメータ値は増加し、左に回転すればパラメータ値は減少するように構成されている。すなわち、このＡ１スイッチ１及びＡ２スイッチ２は、操作することによってパラメータ値を順番に変更可能なスイッチ構造をなしており、請求項の「第一操作子」に相当する。
【００３０】
Ｂスイッチ３は請求項の「第二操作子」に相当し、このＢスイッチ３を操作した上で、Ａ１スイッチ１及びＡ２スイッチ２の任意のスイッチが操作された場合に、該操作されたＡ１スイッチ１あるいはＡ２スイッチ２に割り当てられている項目の現在のパラメータ値が予め決められた所定の初期値に変更される。また、Ｂスイッチ３を操作した上で、次に説明するＣ１スイッチ４、Ｃ２スイッチ５、Ｃ３スイッチ６が操作された場合にも、現在のパラメータ値が予め決められた所定の初期値に変更される。
【００３１】
Ｃ１スイッチ４とＣ２スイッチ５は、Ａ１スイッチ１とＡ２スイッチ２で設定するパラメータの項目をＡ１スイッチ１とＡ２スイッチ２に割り当てるためのスイッチである。この実施形態では、Ａ１スイッチ１とＡ２スイッチ２には、例えば映像に付与する同一効果の互いに関連する項目など、関連する別の項目が割り当てられる。このパラメータの項目は表示器１５の上部の説明表示部４１に略記されている。図の例では、Ｃ１スイッチ４を操作したときには「項目（ａ）」がＡ１スイッチ１に「項目（ｂ）」がＡ２スイッチ２にそれぞれ割り当てられることを示し、また、Ｃ２スイッチ５を操作したときには「項目（ｃ）」がＡ１スイッチ１に「項目（ｄ）」がＡ２スイッチ２にそれぞれ割り当てられることを示している。
【００３２】
また、Ｃ３スイッチ６は、操作される毎に、Ａ１スイッチ１とＡ２スイッチ２に割り当てられているパラメータの項目とそのパラメータ値を、「Ｃ１スイッチのパラメータの項目及びパラメータ値」と「Ｃ２スイッチのパラメータの項目及びパラメータ値」との間で、に交互に切り換えるために設けられている。
【００３３】
ｙｅｓスイッチ７及びｎｏスイッチ８は、例えばシステムからの確認メッセージに対して応答指示するためのスイッチであるが、このｙｅｓスイッチ７及びｎｏスイッチ８を同時操作した上で、Ａ１スイッチ１及びＡ２スイッチ２の任意のスイッチを操作すると、該操作されたＡ１スイッチ１あるいはＡ２スイッチ２に割り当てられている項目の現在のパラメータ値が予め決められた所定の初期値に変更される。また、ｙｅｓスイッチ７及びｎｏスイッチ８を同時操作した上で、Ｃ１スイッチ４、Ｃ２スイッチ５、Ｃ３スイッチ６を操作すると、これらのスイッチで指定された項目の現在のパラメータ値が予め決められた所定の初期値に変更される。
【００３４】
なお、図１に示したように、表示器５には、Ａ１スイッチ１及びＡ２スイッチ２に現在設定されているパラメータの項目（“項目（ａ）”、“項目（ｂ）”等）と、そのパラメータ値（“７”、“１５”等）が表示される。
【００３５】
図３は実施形態における制御プログラムのメインルーチンのフローチャート、図４はパネル処理のフローチャートであり、同図に基づいて実施形態の動作を説明する。電源の投入によって図３のメインルーチンの処理を開始すると、ステップＳ１の初期化の処理でＲＡＭ１２の内容をクリアするとともに初期の設定を行う。次に、ステップＳ２で図４のパネル処理を行い、ステップＳ３でその他の処理を行ってステップＳ２に戻る。このその他の処理では動作モードに応じた各種の処理を行う。例えば再生を実行しているモードでは、映像データを読み出して設定されている効果処理を付加して出力インターフェース１３から画像表示装置２０に出力する処理等を行う。また、映像データに対する各種の加工処理や、映像取り込み等の処理を行う。
【００３６】
図４のパネル処理では、ステップＳ１１でパネル入力（スイッチ操作）の有無を判定し、パネル入力がなければそのままメインルーチンに復帰し、パネル入力があればステップＳ１２以降で、操作のあったスイッチに応じた処理を行う。なお、このパネル入力の有無の判定は、スイッチの操作イベントのみを判定するのではなく、例えば押し続けたれた状態も入力として判定する。ステップＳ１２でＡ１スイッチ１が操作されていると、ステップＳ１３でＢスイッチ３の操作があるかを判定する。なお、Ｂスイッチ３は強く操作した場合と弱く操作した場合とを検出できるようになっており、後述のようにＢスイッチ３を強く操作するとこのＢスイッチ３の操作が一時的に保持されるので、この操作が一時的に保持された状態も上記「Ｂスイッチ３の操作がある」という状態として判定する。ステップＳ１３でＢスイッチ３の操作があれば、ステップＳ１４で、Ａ１スイッチ１に割り当てた設定項目（種類）のパラメータ値を所定値（所定の初期値）に設定し、メインルーチンに復帰する。
【００３７】
また、ステップＳ１３でＢスイッチ３の操作がなければ、ステップＳ１５でｙｅｓスイッチ７及びｎｏスイッチ８の同時操作中であるかを判定し、同時操作中であればステップＳ１４で上記同様に、Ａ１スイッチ１に割り当てた設定項目のパラメータ値を所定値に設定し、同時操作中でなければ、ステップＳ１６で、Ａ１スイッチ１に割り当てた設定項目のパラメータ値をダイヤル移動量（Ａ１スイッチの回転量）に応じて変更し、メインルーチンに復帰する。
【００３８】
ステップＳ１２でＡ１スイッチ１が操作されていなければ、ステップＳ１７でＡ２スイッチ２が操作されたかを判定する。そしてＡ２スイッチ２が操作されていれば、ステップＳ１８でＢスイッチ３の操作があるかを判定する。Ｂスイッチ３の操作があれば、ステップＳ１９で、Ａ２スイッチ２に割り当てた設定項目のパラメータ値を所定値に設定し、メインルーチンに復帰する。
【００３９】
また、ステップＳ１８でＢスイッチ３の操作がなければ、ステップＳ２０でｙｅｓスイッチ７及びｎｏスイッチ８の同時操作中であるかを判定し、同時操作中であればステップＳ１９で上記同様に、Ａ２スイッチ２に割り当てた設定項目のパラメータ値を所定値に設定し、同時操作中でなければ、ステップＳ２１で、Ａ２スイッチ２に割り当てた設定項目のパラメータ値をダイヤル移動量（Ａ２スイッチの回転量）に応じて変更し、メインルーチンに復帰する。また、Ａ２スイッチ２が操作されていなければ、ステップＳ２２に進む。
【００４０】
ステップＳ２２では、Ｂスイッチ３が強く操作されたか否かを判定し、強く操作されていれば、ステップＳ２３でＢスイッチ３の操作を一時的に保持してメインルーチンに復帰する。なお、このＢスイッチ３の操作の一時的に保持された状態は、前述のようにその後のパネル処理において「Ｂスイッチの操作あり」と判定される。ステップＳ２２でＢスイッチ３が強く操作されていなければ、ステップＳ２４でＣ１スイッチ４の操作であるかを判定し、Ｃ１スイッチ４の操作であればステップＳ２５でＢスイッチ３の操作があるかを判定する。Ｂスイッチ３の操作があれば、ステップＳ２６で、Ａ１スイッチ１及びＡ２スイッチ２にＣ１スイッチの項目群を割当てて、その設定項目のパラメータ値を所定値に設定し、メインルーチンに復帰する。
【００４１】
また、ステップＳ２５でＢスイッチ３の操作がなければ、ステップＳ２７でｙｅｓスイッチ７及びｎｏスイッチ８の同時操作中であるかを判定し、同時操作中であればステップＳ２６で上記同様に、Ａ１スイッチ１及びＡ２スイッチ２にＣ１スイッチ４の項目群を割当てて、その設定項目のパラメータ値を所定値に設定し、同時操作中でなければ、ステップＳ２８で、Ａ１スイッチ１及びＡ２スイッチ２に割り当てる項目をＣ１スイッチ４の項目群（「項目（ａ）」及び「項目（ｂ）」）に変更し、メインルーチンに復帰する。
【００４２】
ステップＳ２４でＣ１スイッチ４が操作されていなければ、ステップＳ２９でＣ２スイッチ５が操作されたかを判定する。そしてＣ２スイッチ５が操作されていれば、ステップＳ３０でＢスイッチ３の操作があるかを判定する。Ｂスイッチ３の操作があれば、ステップＳ３１で、Ａ１スイッチ１及びＡ２スイッチ２にＣ２スイッチの項目群を割当てて、その設定項目のパラメータ値を所定値に設定し、メインルーチンに復帰する。
【００４３】
また、ステップＳ３０でＢスイッチ３の操作がなければ、ステップＳ３２でｙｅｓスイッチ７及びｎｏスイッチ８の同時操作中であるかを判定し、同時操作中であればステップＳ３１で上記同様に、Ａ１スイッチ１及びＡ２スイッチ２にＣ２スイッチ５の項目群を割当てて、その設定項目のパラメータ値を所定値に設定し、同時操作中でなければ、ステップＳ３３で、Ａ１スイッチ１及びＡ２スイッチ２に割り当てる項目をＣ２スイッチ５の項目群（「項目（ｃ）」及び「項目（ｄ）」）に変更し、メインルーチンに復帰する。
【００４４】
また、ステップＳ２９でＣ２スイッチ５が操作されていなければ、他のスイッチが操作されたことになるので、ステップＳ３４でその指示のあった処理を実行し、メインルーチンに復帰する。例えば、ステップＳ３４では、Ｃ３スイッチ６が操作された場合は、Ａ１スイッチ１及びＡ２スイッチ２に対して、現在Ｃ１スイッチの項目群が割り当てられていればＣ２スイッチの項目群へ変更して割り当て、Ｃ２スイッチの項目群が割り当てられていればＣ１スイッチの項目群へ変更して割り当てる。
【００４５】
以上の処理により、Ａ１スイッチ１あるいはＡ２スイッチ２を単独で操作した場合には、そのスイッチに対して割り当てられている項目のパラメータ値を、操作量に応じて設定（変更）することができる。また、Ｂスイッチ３を軽く押しながら、Ａ１スイッチ１、Ａ２スイッチ２、Ｃ１スイッチ４、Ｃ２スイッチ５、あるいはＣ３スイッチ６を操作すると、それぞれ次のようになる。Ａ１スイッチ１の場合はＡ１スイッチ１に割り当てられている項目のパラメータ値が所定の初期値に変更される。また、Ａ２スイッチ２の場合はＡ２スイッチ２に割り当てられている項目のパラメータ値が所定の初期値に変更される。Ｃ１スイッチ４の場合はＡ１スイッチ１及びＡ２スイッチ２にＣ１スイッチの項目群が割り当てられ、この項目のパラメータ値が所定の初期値に変更される。Ｃ２スイッチ５の場合はＡ１スイッチ１及びＡ２スイッチ２にＣ２スイッチの項目群が割り当てられ、この項目のパラメータ値が所定の初期値に変更される。Ｃ３スイッチ６の場合はＡ１スイッチ１及びＡ２スイッチ２に現在割り当てられている項目群が他の項目群に割り当てられ、その項目のパラメータ値が所定の初期値に変更される。
【００４６】
また、Ａ１スイッチ１、Ａ２スイッチ２、Ｃ１スイッチ４、Ｃ２スイッチ５、あるいはＣ３スイッチ６を操作している状態で、Ｂスイッチ３を操作したときも、上記同様に処理される。すなわち、第一操作子が操作中に第二操作子が操作された場合に相当し、Ａ１スイッチ１あるいはＡ２スイッチ２によりパラメータ値の設定操作中であっても、所定の初期値に即変更することができる。
【００４７】
また、Ｂスイッチ３を強く操作すると、このＢスイッチ３の操作が一時的に保持されるので、この状態でＡ１スイッチ１、Ａ２スイッチ２、Ｃ１スイッチ４、Ｃ２スイッチ５、あるいはＣ３スイッチ６を操作した場合も同様の結果が得られる。なお、このようにＢスイッチ３の操作を一時的に保持すると、このＢスイッチ３を一旦操作した後、他のスイッチを操作すればよいので、同時操作よりも操作がし易くなる。
【００４８】
さらに、Ｂスイッチ３の上記操作の代わりに、ｙｅｓスイッチ７及びｎｏスイッチ８の同時操作を行うようにしても、同様の結果が得られる。このように、第二操作子として同時操作を行うスイッチを用いると、意識して操作する必要があるので、操作ミスが起きにくい。
【００４９】
なお、実施形態では、第一操作子としてダイヤル式のＡ１スイッチ１及びＡ２スイッチ２を用い、ロータリーエンコーダによりパラメータ値を設定する例について説明したが、第一操作子としては、インクリメントスイッチとデクリメントスイッチ等を用いるようにしてもよい。
【００５０】
また、所定の初期値は、メーカが定めた値、０や特定の値、ユーザが専用に設定した値や過去に使用した値などユーザが定めた値であってもよい。
【００５１】
また、実施形態では、第一操作子であるＡ１スイッチ１及びＡ２スイッチ２を挟むような位置に、Ｂスイッチ３と、ｙｅｓスイッチ７及びｎｏスイッチ８の２つの第二操作子が設けられているので、使い勝手がよい。
【００５２】
なお、実施形態のＢスイッチ３すなわち第二操作子は押しボタン式であるので、他のスイッチとの同時操作がし易いが、この第二操作子はスライド式でも回転式でもよい。
【００５３】
また、実施形態では、第一操作子であるＡ１スイッチ１とＡ２スイッチ２が複数あり、第三操作子であるＣ１スイッチ、Ｃ２スイッチあるいはＣ３スイッチで、この複数の第一操作子に対してパラメータの設定項目を同時に指定できるので、関連のある項目を系統的に扱うことができる。
【００５４】
以上の実施形態はビデオサンプリング装置を例に説明したが、どのような電気機器でもよい。
【００６１】
【発明の効果】
請求項１の電子機器の操作装置によれば、第一操作子に割り当てられている項目のパラメータ値（設定値）を簡単な操作で所定の初期値に変更することができ、電子機器の使い勝手がよくなる。また、第三操作子の操作により第一操作子に対する項目を容易に変更することができる。
【００６２】
請求項２の電子機器の操作装置によれば、請求項１と同様な効果が得られるとともに、第三操作子の操作により複数の第一操作子に対するパラメータの項目を同時にしかも簡単に変更することができる。
【図面の簡単な説明】
【図１】本発明の実施形態におけるビデオサンプリング装置のパネル面の一部を示す図である。
【図２】本発明の実施形態の操作装置を用いた電子機器のブロック図である。
【図３】本発明の実施形態における制御プログラムのメインルーチンのフローチャートである。
【図４】本発明の実施形態におけるパネル処理のフローチャートである。
【符号の説明】
１…Ａ１スイッチ（第一操作子）、２…Ａ２スイッチ（第一操作子）、３…Ｂスイッチ（第二操作子）、４…Ｃ１スイッチ（第三操作子）、５…Ｃ２スイッチ（第三操作子）、６…Ｃ３スイッチ（第三操作子の他の例）
【図１】
0003941524.tif 000002
【図２】
0003941524.tif 000003
【図３】
0003941524.tif 000004
【図４】
0003941524.tif 000005